(57)【要約】【課題】  帯状エラストマを安定して押出機に供給しホッパー詰りを生じさせない押出機への帯状エラストマの投入方法を供する。【解決手段】  ホッパーを介して投入された帯状エラストマをスクリュー11とフィードロール12の間に咬み込んでスクリュー11の回転で錬りながら押出す押出機10への帯状エラストマＥの投入方法において、ホッパー13に投入される前に帯状エラストマＥに長手方向と直角の幅方向に指向して幅方向中央に切込みｃを所定間隔を存して順次形成する。【選択図】  図６
2008126541.tif 000002
【特許請求の範囲】
【請求項１】
ホッパーを介して投入された帯状エラストマをスクリューとフィードロールの間に咬み込んでスクリューの回転で錬りながら押出す押出機への帯状エラストマの投入方法において、
前記ホッパーに投入される前に帯状エラストマに長手方向と直角の幅方向に指向して幅方向中央に切込みを所定間隔を存して順次形成することを特徴とする押出機への帯状エラストマの投入方法。
【発明の詳細な説明】
【技術分野】
【０００１】
本発明は、荒生地のゴムシート等の帯状エラストマを押出機のホッパーに投入する方法に関する。
【背景技術】
【０００２】
帯状エラストマを押出機のホッパーに連続して投入する場合、帯状エラストマが安定して押出機に供給されないと、押出品質を維持することができない。
そこで、ホッパーの大きさと帯状エラストマの幅長を考慮して、帯状エラストマを長手方向に等分割しさらに切断された帯状エラストマに長手方向に切れ目を入れて折り曲げた後にホッパーに投入する方法が提案されている（特許文献１参照）。
【０００３】
【特許文献１】特公昭５２−１５６３４号公報  このホッパーに投入される帯状エラストマは、押出機のスクリューとフィードロールの間に咬み込まれて取り込まれ、スクリューの回転で錬りながら押出される。
【発明の開示】
【発明が解決しようとする課題】
【０００４】
帯状エラストマが取り込まれるときに図７に示すような事態が生じることがある。
押出機のスクリュー01に沿ってフィードロール02が設けられ、その上方にホッパー03が延設されている。
【０００５】
ホッパー03に上方から投入される帯状エラストマＥは、互いに逆回転するスクリュー01とフィードロール02の間に咬み込まれて取り込まれ、スクリュー01により取り込まれた後旋回してきたエラストマをも巻き込んで（図７(1)参照）、前方へ送られる推進流を形成するが、この推進流を生じさせる押出圧は、一方で旋回してきたエラストマをも巻き込むときに背面流をも生じさせて、図７(2)に示すように、エラストマの一部が反り返えるようにして押し戻されて小さなホッパーバンクＥｂを形成する。
【０００６】
この小さいホッパーバンクＥｂがいずれスクリュー01とフィードロール02の間に咬み込まれていけばよいが、連続的に投入される帯状エラストマＥが壁となって咬み込まれずに残りホッパーバンクＥｂが徐々に上方に盛り上がるようにして成長して、図７(3)に示すように、帯状エラストマＥをホッパー内面に押し付け、最終的にホッパーバンクＥｂがホッパー03の口を塞ぐようにしてホッパー詰りを生じさせてしまうことがある。
【０００７】
本発明は、かかる点に鑑みなされたもので、その目的とする処は、帯状エラストマを安定して押出機に供給しホッパー詰りを生じさせない押出機への帯状エラストマの投入方法を供する点にある。
【課題を解決するための手段】
【０００８】
上記目的を達成するために、請求項１記載の押出機への帯状エラストマの投入方法は、ホッパーを介して投入された帯状エラストマをスクリューとフィードロールの間に咬み込んでスクリューの回転で錬りながら押出す押出機への帯状エラストマの投入方法において、前記ホッパーに投入される前に帯状エラストマに長手方向と直角の幅方向に指向して幅方向中央に切込みを所定間隔を存して順次形成することを特徴とする。
【発明の効果】
【０００９】
請求項１記載の押出機への帯状エラストマの投入方法によれば、長手方向と直角の幅方向に指向して幅方向中央に切込みを所定間隔を存して順次形成された帯状エラストマは、スクリューとフィードロールの間に咬み込まれると、長手方向に引っ張力が働き、幅方向に指向して入れられた切込みが開口し、先に取り込まれスクリューにより旋回してきたエラストマがこの切込みの開口を抜けてフィードロール側に至ってフィードロール側から円滑に咬み込まれる。
したがって、投入される連続した帯状エラストマが壁となってホッパーバンクを成長させることがなく、ホッパー詰りを生じさせない。
【発明を実施するための最良の形態】
【００１０】
以下、本発明に係る一実施の形態について図１ないし図６に基づいて説明する。
図１は、本実施の形態に係る帯状エラストマの投入方法を適用した帯状エラストマ供給装置１の概略図である。
【００１１】
連続した帯状エラストマＥがリール２に巻き取られており、同リール２から巻きほぐされた帯状エラストマＥがフィードコンベア３のベルトに載せられて搬送される。
フィードコンベア３により搬送される途中にカッター５により切込みを入れるカッティングユニット４が配設されている。
【００１２】
図２に示すように、カッティングユニット４における回転カッター５は、搬送される帯状エラストマＥの上方で、基端を軸支されて帯状エラストマＥの搬送方向を回転中心軸に先端のカッター刃５ａを旋回駆動できる構造のものである。
図２(1)に示すように上方に位置したカッター刃５ａを、タイマーまたは距離カウンタの指令により所定のタイミングで下方に旋回して帯状エラストマＥの幅方向中央部に切り込んで所定の幅長の切込みｃを形成する（図２(2)，(3)参照）。
【００１３】
切込みｃは、帯状エラストマＥの両側縁部を残して中央に入れられるので、帯状エラストマＥの連続性および切込みｃを除いて全体の形状は維持される。
この切込みｃの形成は、フィードコンベア３による帯状エラストマＥの搬送過程で、所定間隔をおいて実行され、よって図４に図示するように、切込みｃは帯状エラストマＥに等間隔を存して形成される。
【００１４】
こうして切込みｃが入れらた帯状エラストマＥは、フィードコンベア３によりさらに送られた後、押出機10のホッパー13に上方から投入される。
押出機10は、投入された帯状エラストマＥをスクリュー11の回転で錬りながら前進させて口金より押出すものであり、帯状エラストマＥが投入されるホッパー13の下にはスクリュー11に沿ってフィードロール12が配設されている（図３参照）。
【００１５】
ホッパー13に投入された帯状エラストマＥは、押出機10の互いに逆方向に回転するスクリュー11とフィードロール12の間に咬み込まれて取り込まれる。
押出機10の互いに逆方向に回転するスクリュー11とフィードロール12は、帯状エラストマＥの先端を挟み咬み込んで引っ張り込むように作用するので、帯状エラストマＥの咬み込まれた先端より上流側が下方に引っ張られて、図５に示すように幅方向に指向した切込みｃが上下に開いて開口する。
【００１６】
切込みｃは、スクリュー11とフィードロール12に咬み込まれた先端に近いほど大きく開口する。
しかし、帯状エラストマＥは切込みｃの両側方が連続しているので、切込みｃが開口しても全体形状は概ね維持される。
そのため、引っ張り込まれるときに無理な力が加わっても切断されるようなことはなく、連続供給が途切れることなく安定した供給がなされる。
【００１７】
帯状エラストマＥの咬み込みの様子を図６に図示する。
図６(1)に示すように、ホッパー13に上方から投入される帯状エラストマＥは、互いに逆回転するスクリュー11とフィードロール12の間に咬み込まれて取り込まれ、スクリュー11により取り込まれた後１回ないし数回旋回してきたエラストマをも巻き込んで前方へ送られる推進流が形成される。
【００１８】
この推進流を生じさせる押出圧は、一方で旋回してきたエラストマをも巻き込むときに背面流をも生じさせて、ときに図６(2)に示すように、エラストマの一部が反り返えるようにして押し戻されて小さなホッパーバンクＥｂを形成することがある。
【００１９】
このホッパーバンクＥｂは、連続した帯状エラストマＥが壁となって、帯状エラストマＥに対して一方のスクリュー11側で形成され、スクリュー11側で旋回してきたエラストマと帯状エラストマＥとの間の狭いところに挟まれて咬み込まれていかなければならない。
そのため、咬み込み量が少なくなってホッパーバンクＥｂは成長し易い。
【００２０】
ホッパーバンクＥｂがある程度成長すると、帯状エラストマＥの壁を圧迫するが、図６(3)に示すように、連続した帯状エラストマＥの壁に開いた切込みｃの開口からホッパーバンクＥｂが抜けてフィードロール12側に流出する。
【００２１】
フィードロール12側は、旋回してくるエラストマが少ないので、フィードロール12側に流出したエラストマは、フィードロール12の回転に案内されて容易に咬み込まれる。
すなわち、ホッパーバンクＥｂは、連続した帯状エラストマＥのスクリュー11側とフィードロール12側の両側で咬み込まれていくことになる。
【００２２】
連続した帯状エラストマＥの切込みｃの開口は、咬み込まれる先端に近いほど大きく、順次ホッパーバンクＥｂのところへ移動してくるので、スクリュー11側に形成されるホッパーバンクＥｂは切込みｃの開口が来るたびに、同開口を抜けてフィードロール12側に流出し、ホッパーバンクＥｂの成長は阻止される。
【００２３】
したがって、ホッパーバンクＥｂが大きく成長することにより生じるホッパー詰りを未然に防止することができる。
【図面の簡単な説明】
【００２４】
【図１】本発明の一実施の形態に係る帯状エラストマの投入方法を適用した帯状エラストマ供給装置の概略図である。
【図２】カッターによる切込みの形成過程を示す説明図である。
【図３】押出機のホッパー近傍の断面図である。
【図４】切込みを入れた帯状エラストマの部分斜視図である。
【図５】スクリューとフィードロールとの間に咬み込まれる直前の帯状エラストマの状態を示す斜視図である。
【図６】帯状エラストマの咬み込みの様子を示す説明図である。
【図７】従来の帯状エラストマの咬み込みの様子を示す説明図である。
【符号の説明】
【００２５】
Ｅ…帯状エラストマ、Ｅｂ…ホッパーバンク、ｃ…切込み、
１…帯状エラストマ供給装置、２…リール、３…フィードコンベア、４…カッティングユニット、５…回転カッター、
10…押出機、11…スクリュー、12…フィードロール、13…ホッパー。
【図１】
2008126541.tif 000003
【図２】
2008126541.tif 000004
【図３】
2008126541.tif 000005
【図４】
2008126541.tif 000006
【図５】
2008126541.tif 000007
【図６】
2008126541.tif 000008
【図７】
2008126541.tif 000009